(57)【要約】【課題】  塩加減が良く、綺麗に着色された美味しい赤飯を容易に調理することができる赤飯調理用添加物を収納した赤飯調理用添加物包装体を提供する。【解決手段】  食塩６５〜８５重量％と、砂糖３５〜１５重量％とを混合した混合物１００重量％に対し、赤系着色料０．１〜０．３重量％を添加し混合して成る赤飯調理用添加物３を収納した赤飯調理用添加物包装体１を提供する。【選択図】  図１
0003112701.tif 000002
【実用新案登録請求の範囲】
【請求項１】
食塩１００重量％に対し、赤系着色料０．１〜０．５重量％を添加し混合して成ることを特徴とする赤飯調理用添加物。
【請求項２】
食塩６５〜８５重量％と、砂糖３５〜１５重量％とを混合した混合物１００重量％に対し、赤系着色料０．１〜０．３重量％を添加し混合して成ることを特徴とする赤飯調理用添加物。
【請求項３】
請求項１又は２記載の赤飯調理用添加物に水を加えて混合し着色させた後、乾燥させ、揉み解して成ることを特徴とする赤飯調理用添加物。
【請求項４】
請求項１，２又は３記載の赤飯調理用添加物を包装袋内に収納したことを特徴とする赤飯調理用添加物包装体。
【請求項５】
請求項４記載の赤飯調理用添加物包装体である第１包装体と、甘納豆を包装袋内に収納した第２包装体とから成り、該第２包装体の包装袋の外側部に該第１包装体を貼着したことを特徴とする赤飯調理用添加物包装体。
【考案の詳細な説明】
【技術分野】
【０００１】
本考案は、赤飯を調理するために必要な複数の添加物を混合して成る赤飯調理用添加物及びその添加物を包装して成る赤飯調理用添加物包装体に関する。
【背景技術】
【０００２】
此種従来の赤飯の調理に於いて、例えば、炊飯器を用いて調理する際、もち米に加えて、塩、食紅、甘納豆を必要とする。
【０００３】
元来、赤飯を調理する際には、小豆の煮汁を入れることにより、赤飯らしい赤色を出していた。しかし、現在は小豆の煮汁では赤味が不足するという理由で、煮汁に加えて、或いは、煮汁に代えて食紅が広く使用されており、食紅は微量加えることによって、簡単に所望の赤色を得ることができる。
【０００４】
即ち、赤飯を調理する際には、赤飯らしい一定の色を出すため、豆の煮汁に加えて、或いは、それに代えて食紅が用いられ、更に、赤飯の風味を出すために塩が用いられる。
【０００５】
従って、赤飯を調理する際には、もち米、塩、食紅、甘納豆をそれぞれ個別に調達する必要があるが、それらの調達に手間がかかり、更に、食紅、塩の計量、及びその微調整は、家庭用でも業務用でも比較的煩雑で困難である。
【０００６】
そこで、例えば、特許文献１には、小豆と、小豆の煮汁からなる顆粒と、米とから成る赤飯の素を包装した包装体が記載されている。
【特許文献１】特開２００４−１６５号公報
【考案の開示】
【考案が解決しようとする課題】
【０００７】
前述したように、従来の赤飯の調理に於いては、塩、食紅、甘納豆を個別に調達する必要があり、例えば、それらの買い物の際には店内を探して１品１品買い集めなくてはならない。
【０００８】
特に、食紅は小さな容器に入っているため、店内のどこに置いてあるのかを探し出すのが比較的困難である。
【０００９】
又、赤飯調理の際に、食紅を使用するに当たり、食紅は微量で非常に濃い赤色を発色するため、家庭での計量は困難（家庭用秤では計量不可）である。
【００１０】
従って、一般家庭ではほぼ目見当によって計量が行われていることが多く、調理の際には色にばらつき（赤色の濃淡の差）が出やすい。
【００１１】
更に、前述の特許文献１に於いては、小豆と、小豆の煮汁からなる顆粒と、米とから成る赤飯の素が提供されるが、前述したように、小豆の煮汁を用いた場合に於いては、赤味が不足し、所望の赤色を出すことは困難である。
【００１２】
以上の現状に鑑み、本考案は、塩加減が良く、綺麗に着色された美味しい赤飯を容易に調理することができる赤飯調理用添加物及び赤飯調理用添加物包装体を提供することを目的とする。
【課題を解決するための手段】
【００１３】
上記の課題を解決すべく、本考案は以下の構成を提供する。
請求項１に係る考案は、食塩１００重量％に対し、赤系着色料０．１〜０．５重量％を添加し混合して成ることを特徴とする赤飯調理用添加物を提供するものである。
【００１４】
請求項２に係る考案は、食塩６５〜８５重量％と、砂糖３５〜１５重量％とを混合した混合物１００重量％に対し、赤系着色料０．１〜０．３重量％を添加し混合して成ることを特徴とする赤飯調理用添加物を提供するものである。
【００１５】
請求項３に係る考案は、請求項１又は２記載の赤飯調理用添加物に水を加えて混合し着色させた後、乾燥させ、揉み解して成ることを特徴とする赤飯調理用添加物を提供するものである。
【００１６】
請求項４に係る考案は、請求項１，２又は３記載の赤飯調理用添加物を包装袋内に収納したことを特徴とする赤飯調理用添加物包装体を提供するものである。
【００１７】
請求項５に係る考案は、請求項４記載の赤飯調理用添加物包装体である第１包装体と、甘納豆を包装袋内に収納した第２包装体とから成り、該第２包装体の包装袋の外側部に該第１包装体を貼着したことを特徴とする赤飯調理用添加物包装体を提供するものである。
【考案の効果】
【００１８】
本考案の請求項１記載の考案によれば、食塩１００重量％に対し、赤系着色料０．１〜０．５重量％を添加し混合して成る赤飯調理用添加物を提供するので、塩加減が良く、綺麗に着色された赤飯を容易に調理することができる赤飯調理用添加物を提供できる。
【００１９】
請求項２に係る考案は、食塩６５〜８５重量％と、砂糖３５〜１５重量％とを混合した混合物１００重量％に対し、赤系着色料０．１〜０．３重量％を添加し混合して成る赤飯調理用添加物を提供するので、塩加減が良く、綺麗に着色された美味しい赤飯を容易に調理することができる赤飯調理用添加物を提供できる。
【００２０】
請求項３に係る考案は、請求項１又は２記載の赤飯調理用添加物に水を加えて混合し着色させた後、乾燥させ、揉み解して成る赤飯調理用添加物を提供するので、塩加減が良く、綺麗に着色された美味しい赤飯を容易に調理することができる赤飯調理用添加物を提供できる。
【００２１】
請求項４記載の考案によれば、請求項１，２又は３記載の赤飯調理用添加物を包装袋内に収納した赤飯調理用添加物包装体を提供するので、請求項１，２又は３記載の考案の効果に加え、赤飯調理用添加物が一体に包装袋内に収納されるので、赤飯調理用添加物の取扱いが容易となり、又、食塩、砂糖、及び着色料を容易に調達し、添加することができる。更に、赤飯調理用添加物は、食塩、砂糖、及び着色料が赤飯調理用として既に最適な量に計量されているので、調理時に煩雑な計量の手間が省けると共に、最適な配合割合の添加物を得ることができるので調理が容易となる。
【００２２】
請求項５記載の考案によれば、請求項４記載の赤飯調理用添加物包装体である第１包装体と、甘納豆を包装袋内に収納した第２包装体とから成り、該第２包装体の包装袋の外側部に該第１包装体を貼着したので、甘納豆を含む赤飯調理用添加物の取扱いが容易となり、又、食塩、砂糖、着色料、及び甘納豆を容易に調達し、添加することができる。更に、前記第１包装体の包装袋内に食塩、砂糖、及び着色料が既に最適な配合割合で計量されているので、調理時に煩雑な計量の手間が省けると共に、最適な配合割合の添加物を得ることができるので調理が容易となる。
【考案を実施するための最良の形態】
【００２３】
以下、実施例を示した図面を参照しつつ本考案の実施の形態を説明する。
図１に於いて、１は、本考案の第１実施態様の赤飯調理用添加物包装体であり、赤飯調理用添加物包装体１は、包装袋２内に赤飯調理用添加物３を収納したものであり、赤飯調理用添加物３は、食塩６５〜８５重量％、好適には７５重量％と、砂糖３５〜１５重量％、好適には２５重量％とを混合した混合物１００重量％に対し、食紅である赤系着色料を０．１〜０．３重量％、好適には０．２重量％添加し、更に、水を加えて混合し着色させた後、乾燥させ、揉み解して生成されたものである。
【００２４】
尚、前述した食塩の配合割合、砂糖の配合割合は、赤飯を塩加減がよく、程よい風味で美味しく調理するために得られた好ましい配合割合であり、前述した着色料の配合割合は、調理された赤飯が美味しそうに、且つ、綺麗に見えるように着色するために得られた好ましい配合割合である。
【００２５】
又、前記赤飯調理用添加物包装体１内には、例えば、もち米３合を用いて赤飯を調理する場合に於いて、最適な量、例えば約４ｇの赤飯調理用添加物３が収納される。但し、前記赤飯調理用添加物包装体１内に収納される赤飯調理用添加物３の量は、適用されるもち米の量に対応させて種々に変化させても良い。
【００２６】
而して、赤飯調理時に、例えば、もち米３合用に計量された赤飯調理用添加物３を例えば約４ｇ収納する前記赤飯調理用添加物包装体１を用意し、赤飯調理用添加物包装体１の包装袋２の一部をカットして、包装袋２内の赤飯調理用添加物３を、もち米３合に加え、更に、水を加え、炊飯器等で炊き上げた後、好みに応じて別途用意する適量の甘納豆を潰さないようにして混ぜると、赤飯を調理することができる。
【００２７】
斯くして、もち米に前記赤飯調理用添加物３を添加すると、濃淡にばらつきがなく綺麗に着色され、外観が美味しそうに見えると共に、程よい風味の美味しい赤飯を容易に調理することができる。
【００２８】
又、前記赤飯調理用添加物包装体１は、食塩、砂糖、及び着色料が混合された前記赤飯調理用添加物３を包装袋２内に収納しているので、赤飯調理用添加物３の取扱いが容易となると共に、食塩、砂糖、及び着色料を容易に調達し、添加することができる。
【００２９】
更に、赤飯調理用添加物３は、食塩、砂糖、及び着色料が赤飯調理用として既に最適な量に計量されているので、調理時に煩雑な計量の手間が省けると共に、最適な配合割合の添加物を得ることができるので調理が容易である。
【００３０】
尚、前記赤飯調理用添加物３は、包装袋２内に収納する前に、水を加えて混合し、乾燥させたが、これに代えて水を加えないで混合し、収納することも可能である。
【００３１】
又、前記赤飯調理用添加物３に砂糖を加えたが、これに代えて、砂糖を加えない赤飯調理用添加物３も考えられる。その場合、砂糖は、調理者が好みによって調理時に別途準備して加えても良く、加えなくても良い。
【００３２】
そして、その場合の赤飯調理用添加物３内の食塩に対する赤系着色料の配合割合は、前述と略同様の混合割合、例えば、食塩１００重量％に対し、赤系着色料を０．１〜０．５重量％、好適には０．３重量％添加する。
【００３３】
尚、前述した食塩に対する赤系着色料の配合割合は、適度な塩加減に調理される赤飯が美味しそうに、且つ、綺麗に見えるように着色するために得られた好ましい配合割合である。
【００３４】
又、前記赤飯調理用添加物３を砂糖と赤系着色料のみの混合物として食塩をなくし、砂糖と赤系着色料の混合割合を前述と略同様の混合割合、例えば、砂糖１００重量％に対し、赤系着色料を０．２〜２重量％、好適には０．８重量％配合しても良い。その場合、食塩は、別途用意して、調理時に好みに応じて加えることになる。
【００３５】
図２に於いて、１１は、本考案の第２実施態様の赤飯調理用添加物包装体であり、赤飯調理用添加物包装体１１は、前記赤飯調理用添加物包装体１である第１包装体１２と、金時甘納豆又は小豆甘納豆等の甘納豆１３を包装袋１４内に収納した第２包装体１５とから成り、第２包装体１５の包装袋１４の外側部に前記第１包装体１２を貼着添付したものである。
【００３６】
尚、前記第２包装体１５内には、例えば、もち米３合を用いて赤飯を調理する場合に於いて、最適な量、或いは、それよりも増量した甘納豆１３が収納される。
【００３７】
又、前記第２包装体１５の包装袋１４は透明又は不透明の合成樹脂フイルムで形成され、包装袋１４の前面側に商品名等を表示するシート１６が貼付されるが、前記第１包装体１２は、上部部分がシート１６の貼着面に貼着され、シート１６を介してシート１６と共に第２包装体１５の包装袋１４の前面に貼着され、一方、商品の説明、商品の使用方法、製造者等を表示するシート１７が包装袋１４の後面に貼付される。尚、シート１７に代えて、前記第２包装体１５の後面に前記商品の説明等を印刷表示することも可能である。
【００３８】
而して、赤飯調理時に、例えば、もち米３合用に配合された赤飯調理用添加物３及び甘納豆１３を収納する前記赤飯調理用添加物包装体１１を用意し、第２包装体１５の包装袋１４及び前記シート１６から、前記第１包装体１２を引き剥がして取り外し、第１包装体１２の包装袋２をカットして包装袋２内の赤飯調理用添加物３を排出させてもち米３合に加え、更に水を加えて混合し、炊飯器等で炊き上げた後、前記第２包装体１５の包装袋１４をカットし包装袋１４内の甘納豆１３を好みに応じて適量排出させて甘納豆を潰さないように混ぜると、赤飯を調理することができる。
【００３９】
斯くして、第１包装体１２の包装袋２内の赤飯調理用添加物３と、第２包装体１５内の甘納豆１３とを添加すると、綺麗に着色された美味しい赤飯を容易に調理することができる。
【００４０】
又、前記赤飯調理用添加物包装体１１は、第２包装体１５の包装袋１４の外側部に第１包装体１２が貼着添付されるので、甘納豆及び赤飯調理用添加物の取扱いが容易となり、食塩、砂糖、着色料、及び甘納豆を容易に調達し、添加することができる。
【００４１】
更に、前記第１包装体１２の包装袋２内に食塩、砂糖、及び着色料が既に最適な配合割合で計量されており、前記第２包装体１５の包装袋１４内に甘納豆が前記赤飯調理用添加物に対して最適な量、或いは、それよりも増量して計量されて収納されているので、調理時に煩雑な計量の手間が省けると共に、最適な配合割合の添加物及び適量の甘納豆を得ることができるので調理が容易である。
【００４２】
尚、前記赤飯調理用添加物包装体１１に於いては、第１包装体１２を第２包装体１５の外側部に貼着したが、赤飯調理用添加物３を甘納豆１３に添加して混合物を生成し、この混合物を前記第２包装体１５の包装袋１４内に収納することにより、前記第１包装体１２を不要にすることも可能である。又、第１包装体１２を第２包装体１５内に収納することも可能である。
【実施例】
【００４３】
以下、本考案の実施例を示すが、本考案はこれに限定されるものではない。
実施例１
最初の仕込みとして、食塩１５００ｇに、砂糖５００ｇを加え、更に、赤系着色料を４ｇ添加し、水を加えて混合し着色させた後、乾燥させ、揉み解して赤飯調理用添加物を得た。
【００４４】
そして、赤飯を調理するためのもち米３合に対し適切な添加量となるように、前記赤飯調理用添加物４．００８ｇ（約４ｇ）を計量し、１つの包装袋に収納して赤飯調理用添加物包装体（図１に於いて１の赤飯調理用添加物包装体、図２に於いて１２の第１包装体に相当する。）を作成した。この場合、赤飯調理用添加物包装体内の赤飯調理用添加物の各成分量は食塩３ｇ、砂糖１ｇ、着色料０．００８ｇとなる。
【００４５】
更に、包装袋内にもち米３合に適する適量の甘納豆を収納密封した包装体（図２に於いて１５の第２包装体に相当する。）の包装袋の外側部に、商品名等を表示するシートに一部貼着された前記赤飯調理用添加物包装体（図２に於いて１２の第１包装体に相当する。）をシートと共に貼着し、赤飯調理用添加物包装体（図２に於いて１１の赤飯調理用添加物包装体に相当。）を作成した。
【００４６】
更に、前記赤飯調理用添加物及び前記甘納豆を、同様の方法を繰り返して包装し、複数の赤飯調理用添加物包装体（図２に於いて１１の赤飯調理用添加物包装体に相当）を作成した。
【００４７】
そして、もち米３合に対し、前記赤飯調理用添加物包装体（図２に於いて１２の第１包装体に相当。）内の赤飯調理用添加物（図２に於いて３の赤飯調理用添加物に相当。）を加え、更に、水を加え、それを炊飯器で炊き上げた後、前記赤飯調理用添加物包装体（図２に於いて１５の第２包装体に相当。）内の甘納豆を好みに応じて適量混ぜた結果、赤飯として綺麗に着色され、塩加減、甘さ加減が良好な美味しい赤飯を調理することができた。
【００４８】
実施例２
最初の仕込みとして、食塩１５００ｇに、赤系着色料を４ｇ添加し、水を加えて混合し着色させた後、乾燥させ、揉み解して赤飯調理用添加物を得た。
【００４９】
そして、赤飯を調理するためのもち米３合に対し適切な添加量となるように、前記赤飯調理用添加物３．００８ｇ（約３ｇ）を計量し、１つの包装袋に収納して赤飯調理用添加物包装体（図１に於いて１の赤飯調理用添加物包装体、図２に於いて１２の第１包装体に相当する。）を作成した。この場合、赤飯調理用添加物包装体内の赤飯調理用添加物の各成分量は食塩３ｇ、着色料０．００８ｇとなる。
【００５０】
更に、包装袋内にもち米３合に適する適量の甘納豆を収納密封した包装体（図２に於いて１５の第２包装体に相当する。）の包装袋の外側部に、商品名等を表示するシートに一部貼着された前記赤飯調理用添加物包装体（図２に於いて１２の第１包装体に相当する。）をシートと共に貼着し、赤飯調理用添加物包装体（図２に於いて１１の赤飯調理用添加物包装体に相当。）を作成した。
【００５１】
更に、前記赤飯調理用添加物及び前記甘納豆を、同様の方法を繰り返して包装し、複数の赤飯調理用添加物包装体（図２に於いて１１の赤飯調理用添加物包装体に相当）を作成した。
【００５２】
そして、もち米３合に対し、前記赤飯調理用添加物包装体（図２に於いて１２の第１包装体に相当。）内の赤飯調理用添加物（図２に於いて３の赤飯調理用添加物に相当。）を加え、更に、水と好みに応じて別途用意した適量の砂糖を加え、それを炊飯器で炊き上げた後、前記赤飯調理用添加物包装体（図２に於いて１５の第２包装体に相当。）内の甘納豆を好みに応じて適量混ぜた結果、赤飯として綺麗に着色され、塩加減が良好な美味しい赤飯を調理することができた。
【図面の簡単な説明】
【００５３】
【図１】本考案による第１実施態様の赤飯調理用添加物包装体の一部切欠正面図である。
【図２】本考案による第２実施態様の赤飯調理用添加物包装体の一部切欠正面図である。
【符号の説明】
【００５４】
１，１１  赤飯調理用添加物包装体
２，１４  包装袋
３  赤飯調理用添加物
１２  第１包装体
１３  甘納豆
１５  第２包装体
【図１】
0003112701.tif 000003
【図２】
0003112701.tif 000004
【手続補正書】
【提出日】平成17年6月8日(2005.6.8)
【手続補正１】
【補正対象書類名】実用新案登録請求の範囲
【補正対象項目名】全文
【補正方法】変更
【補正の内容】
【実用新案登録請求の範囲】
【請求項１】
食塩１００重量％に対し、赤系着色料０．１〜０．５重量％を添加し混合して成る赤飯調理用添加物を包装袋内に収納したことを特徴とする赤飯調理用添加物包装体。
【請求項２】
食塩６５〜８５重量％と、砂糖３５〜１５重量％とを混合した混合物１００重量％に対し、赤系着色料０．１〜０．３重量％を添加し混合して成る赤飯調理用添加物を包装袋内に収納したことを特徴とする赤飯調理用添加物包装体。
【請求項３】
請求項１又は２記載の赤飯調理用添加物に水を加えて混合し着色させた後、乾燥させ、揉み解して成る赤飯調理用添加物を包装袋内に収納したことを特徴とする赤飯調理用添加物包装体。
【請求項４】
請求項１，２又は３記載の赤飯調理用添加物包装体である第１包装体と、甘納豆を包装袋内に収納した第２包装体とから成り、該第２包装体の包装袋の外側部に該第１包装体を貼着したことを特徴とする赤飯調理用添加物包装体。
【手続補正３】
【補正対象書類名】明細書
【補正対象項目名】０００１
【補正方法】変更
【補正の内容】
【０００１】
本考案は、赤飯を調理するために必要な複数の添加物を混合して成る赤飯調理用添加物を包装して成る赤飯調理用添加物包装体に関する。
【手続補正４】
【補正対象書類名】明細書
【補正対象項目名】００１２
【補正方法】変更
【補正の内容】
【００１２】
以上の現状に鑑み、本考案は、塩加減が良く、綺麗に着色された美味しい赤飯を容易に調理することができる赤飯調理用添加物を収納した赤飯調理用添加物包装体を提供することを目的とする。
【手続補正５】
【補正対象書類名】明細書
【補正対象項目名】００１３
【補正方法】変更
【補正の内容】
【００１３】
上記の課題を解決すべく、本考案は以下の構成を提供する。
請求項１に係る考案は、食塩１００重量％に対し、赤系着色料０．１〜０．５重量％を添加し混合して成る赤飯調理用添加物を包装袋内に収納したことを特徴とする赤飯調理用添加物包装体を提供するものである。
【手続補正６】
【補正対象書類名】明細書
【補正対象項目名】００１４
【補正方法】変更
【補正の内容】
【００１４】
請求項２に係る考案は、食塩６５〜８５重量％と、砂糖３５〜１５重量％とを混合した混合物１００重量％に対し、赤系着色料０．１〜０．３重量％を添加し混合して成る赤飯調理用添加物を包装袋内に収納したことを特徴とする赤飯調理用添加物包装体を提供するものである。
【手続補正７】
【補正対象書類名】明細書
【補正対象項目名】００１５
【補正方法】変更
【補正の内容】
【００１５】
請求項３に係る考案は、請求項１又は２記載の赤飯調理用添加物に水を加えて混合し着色させた後、乾燥させ、揉み解して成る赤飯調理用添加物を包装袋内に収納したことを特徴とする赤飯調理用添加物包装体を提供するものである。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項４に係る考案は、請求項１，２又は３記載の赤飯調理用添加物包装体である第１包装体と、甘納豆を包装袋内に収納した第２包装体とから成り、該第２包装体の包装袋の外側部に該第１包装体を貼着したことを特徴とする赤飯調理用添加物包装体を提供するものである。
【手続補正１０】
【補正対象書類名】明細書
【補正対象項目名】００１８
【補正方法】変更
【補正の内容】
【００１８】
本考案の請求項１記載の考案によれば、食塩１００重量％に対し、赤系着色料０．１〜０．５重量％を添加し混合して成る赤飯調理用添加物を包装袋内に収納した赤飯調理用添加物包装体を提供するので、塩加減が良く、綺麗に着色された赤飯を容易に調理することができる赤飯調理用添加物を提供できる。又、赤飯調理用添加物が包装体内に収納されるので、赤飯調理用添加物の取扱いが容易となり、更に、赤飯調理用添加物は、赤飯調理用として既に最適な量に計量されているので、調理時に煩雑な計量の手間が省けると共に、最適な配合割合の添加物を得ることができるので調理が容易となる。
【手続補正１１】
【補正対象書類名】明細書
【補正対象項目名】００１９
【補正方法】変更
【補正の内容】
【００１９】
請求項２に係る考案は、食塩６５〜８５重量％と、砂糖３５〜１５重量％とを混合した混合物１００重量％に対し、赤系着色料０．１〜０．３重量％を添加し混合して成る赤飯調理用添加物を包装袋内に収納した赤飯調理用添加物包装体を提供するので、塩加減が良く、綺麗に着色された美味しい赤飯を容易に調理することができる赤飯調理用添加物を提供できる。又、赤飯調理用添加物が包装体内に収納されるので、赤飯調理用添加物の取扱いが容易となり、更に、赤飯調理用添加物は、赤飯調理用として既に最適な量に計量されているので、調理時に煩雑な計量の手間が省けると共に、最適な配合割合の添加物を得ることができるので調理が容易となる。
【手続補正１２】
【補正対象書類名】明細書
【補正対象項目名】００２０
【補正方法】変更
【補正の内容】
【００２０】
請求項３に係る考案は、請求項１又は２記載の赤飯調理用添加物に水を加えて混合し着色させた後、乾燥させ、揉み解して成る赤飯調理用添加物を包装袋内に収納した赤飯調理用添加物包装体を提供するので、塩加減が良く、綺麗に着色された美味しい赤飯を容易に調理することができる赤飯調理用添加物を提供できる。
又、赤飯調理用添加物が包装体内に収納されるので、赤飯調理用添加物の取扱いが容易となり、更に、赤飯調理用添加物は、赤飯調理用として既に最適な量に計量されているので、調理時に煩雑な計量の手間が省けると共に、最適な配合割合の添加物を得ることができるので調理が容易となる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
請求項４記載の考案によれば、請求項１，２又は３記載の赤飯調理用添加物包装体である第１包装体と、甘納豆を包装袋内に収納した第２包装体とから成り、該第２包装体の包装袋の外側部に該第１包装体を貼着した赤飯調理用添加物包装体を提供するので、甘納豆を含む赤飯調理用添加物の取扱いが容易となり、又、食塩、砂糖、着色料、及び甘納豆を容易に調達し、添加することができる。更に、前記第１包装体の包装袋内に食塩、砂糖、及び着色料が既に最適な配合割合で計量されているので、調理時に煩雑な計量の手間が省けると共に、最適な配合割合の添加物を得ることができるので調理が容易となる。